(57)【要約】【課題】メディアに記録されたコンテンツが誤って消去されるのを防ぐ。【解決手段】ディスク１０１などのメディアに、データプロセッサ１０５から供給されるコンテンツ（プログラム）を記録する際に、そのプログラムの付随情報として、プログラム保護情報と機器識別データをプログラムと一緒にディスク１０１に記録する。そのディスク１０１に記録されたプログラムをダビングする際、機器識別データによって機器の認証を行なって、認証が成立した機器でダビングを実行することによって、ディスク１０１のプログラムの消去、編集を実行することを許容するようにプログラム保護情報を書き換える。【選択図】      図１
2005018910.tif 000002
【特許請求の範囲】
【請求項１】
リムーバル型記録媒体に、コンテンツデータと、当該コンテンツデータを再生して記録することが可能な機器を特定するデータとを記録する記録手段を具備したことを特徴とするコンテンツ記録装置。
【請求項２】
リムーバル型記録媒体に、コンテンツデータと、当該コンテンツデータを再生して記録することが可能な機器を特定するデータと、当該コンテンツデータの消去を含む改変を禁止する保護情報とを記録する記録手段を具備したことを特徴とするコンテンツ記録装置。
【請求項３】
前記記録手段は、前記リムーバル型記録媒体に前記コンテンツデータを複数プログラム分記録すると共に、前記機器を特定するデータを前記プログラム毎に対応させて記録するものであることを特徴とする請求項１または２に記載のコンテンツ記録装置。
【請求項４】
前記記録手段は、前記リムーバル型記録媒体に前記コンテンツデータを複数プログラム分記録すると共に、前記保護データを前記複数のプログラムに対応させて記録するものであることを特徴とする請求項２に記載のコンテンツ記録再生装置。
【請求項５】
リムーバル型の第１の記録媒体に、コンテンツデータと、当該コンテンツデータを再生して記録することが可能な機器を特定するデータとを記録する第１の記録手段と、
前記リムーバル型記録媒体から前記コンテンツデータと前記機器を特定するデータを再生する再生手段と、
前記再生された機器を特定するデータを認識する認証手段と、
前記再生されたコンテンツデータを前記第１の記録媒体とは異なる第２の記録媒体に記録する第２の記録手段と、
を具備したことを特徴とするコンテンツ記録再生装置。
【請求項６】
リムーバル型の第１の記録媒体に、コンテンツデータと、当該コンテンツデータを再生して記録することが可能な機器を特定するデータと、前記コンテンツデータの消去を含む改変を禁止する保護情報を記録する第１の記録手段と、
前記リムーバル型記録媒体から前記コンテンツデータと前記機器を特定するデータを再生する再生手段と、
前記第１の記録媒体から再生された機器を特定するデータを認識する認証手段と、
前記第１の記録媒体から再生されたコンテンツデータを前記第１の記録媒体とは異なる第２の記録媒体に記録する第２の記録手段と、
前記第２の記録手段によって前記第２の記録媒体に記録したコンテンツデータが記録された第１の記録媒体の前記保護情報を前記コンテンツデータの消去を含む改変を許容する状態に書き換える保護情報書き換え手段と、
を具備したことを特徴とするコンテンツ記録再生装置。
【請求項７】
前記第１の記録手段は、前記リムーバル型記録媒体に前記コンテンツデータを複数プログラム分記録すると共に、前記コンテンツデータを再生して記録することが可能な機器を特定するデータを前記複数のプログラムに対応させて記録するものであることを特徴とする請求項５または６に記載のコンテンツ記録再生装置。
【請求項８】
前記第１の記録手段は、前記リムーバル型記録媒体に前記コンテンツデータを複数プログラム分記録すると共に、前記保護データを前記複数のプログラムに対応させて記録するものであることを特徴とする請求項６に記載のコンテンツ記録再生装置。
【請求項９】
コンテンツデータと共に当該コンテンツデータを再生して記録することが可能な機器を特定するデータが記録されたリムーバル型記録媒体から、前記機器を特定するデータを読み取ってそれを認識する認証手段と、
前記リムーバル型記録媒体から前記コンテンツデータを再生して当該記録媒体とは異なる第２の記録媒体に記録する記録手段と、
を具備したことを特徴とするコンテンツ記録再生装置。
【請求項１０】
コンテンツデータと共に当該コンテンツデータを再生して記録することが可能な機器を特定するデータ及び当該コンテンツデータの消去を含む改変を禁止する保護情報が記録されたリムーバル型記録媒体から、前記機器を特定するデータを読み取ってそれを認識する認証手段と、
前記リムーバル型記録媒体に記録されたコンテンツデータを当該記録媒体とは異なる第２の記録媒体にダビングするダビング手段と、
前記認証手段による認証の結果と、前記ダビング手段によるダビング処理とに基づき、前記ダビング手段によって第２の記録媒体にダビングされたコンテンツの前記リムーバル型記録媒体に記録されている保護情報を前記コンテンツデータの消去を含む改変が可能なように書き換える保護情報書き換え手段と、
を具備したことを特徴とするコンテンツ記録再生装置。
【請求項１１】
前記認証手段は、前記機器を特定するデータに対応するデータが予め記憶された記憶手段を備え、前記再生した機器を特定するデータと、前記記憶手段に予め記憶されたデータの比較によって前記認証処理を実行するものであることを特徴とする請求項５乃至１０のいずれかに記載のコンテンツ記録再生装置
【請求項１２】
前記リムーバル型記録媒体には前記コンテンツデータが複数プログラム分記録され、さらに前記コンテンツデータを再生して記録することが可能な機器を特定するデータが前記複数のプログラムに対応させて記録されていることを特徴とする請求項９または１０に記載のコンテンツ記録再生装置。
【請求項１３】
リムーバル型記録媒体の装着手段を備え、コンテンツデータを前記リムーバル型記録媒体に記録する際に、当該記録媒体に記録されたコンテンツデータを記録することが可能な他の機器を特定するデータを前記コンテンツに付随するデータとして前記リムーバル型記録媒体に記録する記録手段を備えた第１の機器と、
前記記録媒体が装着される装着手段と、前記機器を特定するデータに対応するデータが記憶された記憶手段と、前記装着手段に装着された記録媒体から前記機器を特定するデータを読み出して、前記記憶手段に記憶された機器特定データに対応するデータと比較を行なって、両データが一致することで前記記録媒体に対する認証を行なう手段とを備えた第２の機器と、
を有することを特徴とするコンテンツ記録再生システム。
【請求項１４】
リムーバル型記録媒体の装着手段を備え、コンテンツデータを前記リムーバル型記録媒体に記録する際に、当該記録媒体に記録されたコンテンツデータを記録することが可能な他の機器を特定するデータと、当該コンテンツデータの消去を含む改変を禁止する保護情報とを前記コンテンツに付随するデータとして前記リムーバル型記録媒体に記録する記録手段を備えた第１の機器と、
前記記録媒体が装着される装着手段と、前記機器を特定するデータに対応するデータが記憶された記憶手段と、前記装着手段に装着された記録媒体から前記機器を特定するデータを読み出して、前記記憶手段に記憶された機器特定データに対応するデータと比較を行なって、両データが一致することで前記記録媒体に対する認証を行なう認証手段と、前記装着手段に装着された記録媒体に記録された前記コンテンツデータを当該記録媒体とは異なる第２の記録媒体にダビングするダビング手段と、前記リムーバル型記録媒体に記録されたコンテンツデータを当該記録媒体とは異なる第２の記録媒体にダビングするダビング手段と、前記認証手段による認証の結果と、前記ダビング手段によるダビング処理とに基づき、前記ダビング手段によって第２の記録媒体にダビングされたコンテンツの前記リムーバル型記録媒体に記録されている保護情報を前記コンテンツデータの消去を含む改変が可能なように書き換える保護情報書き換え手段とを備えた第２の機器と、を有したことを特徴とするコンテンツ記録再生システム。
【請求項１５】
コンテンツデータと共に当該コンテンツデータを再生して記録することが可能な機器を特定するデータが前記コンテンツに記録されたリムーバル型記録媒体から前記機器を特定するデータを読み出すステップと、
前記読み出されたデータと予め機器本体に記憶された機器を特定するデータに対応するデータとを比較するステップと、
両データが一致した際に前記記録媒体の前記機器本体に対する認証を行なうステップと
を備えたことを特徴とするコンテンツ記録再生方法。
【請求項１６】
コンテンツデータと共に当該コンテンツデータを再生して記録することが可能な機器を特定するデータ及びコンテンツデータの消去を含む改変を禁止する保護情報が記録されたリムーバル型記録媒体から前記機器を特定するデータを読み出すステップと、
前記読み出されたデータと予め機器本体に記憶された機器を特定するデータに対応するデータとを比較するステップと、
両データが一致した際に前記記録媒体の前記機器本体に対する認証を行なうステップと、
前記記録媒体に記録されているコンテンツをダビングするステップと、
前記認証が確立され、かつ前記ダビングが実行されたことにより、前記記録媒体に記録されている前記コンテンツの保護情報を消去を含む改変を許容する情報に書き換えるステップと、
を備えたことを特徴とするコンテンツ記録再生方法。
【発明の詳細な説明】
【０００１】
【発明の属する技術分野】
この発明は、コンテンツ記録装置、コンテンツ記録再生装置、コンテンツ記録再生システム及びコンテンツ記録再生方法に関し、特に異なる記録再生機器に共通に使用可能なブリッジメディア、ディスクメディアなどを記録媒体として用いるコンテンツ記録装置、コンテンツ記録再生装置、コンテンツ記録再生システム及びコンテンツ記録再生方法に関する。
【０００２】
【従来の技術】
書換え可能なメディアとして、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）などの光記録媒体の他に、ＳＤ（Ｓｅｃｕｒｅ  Ｄｉｇｉｔａｌ）メモリカード、スマートメディア（登録商標）、メモリスティックなどの半導体メモリを用いたものが実用に供されるようになってきており、それらメディアを記録媒体として用いたコンテンツ記録再生機器も広く市場に出回ってきている。
【０００３】
このような、メディアはいわゆるリムーバルな記録媒体として記録再生機器に取り込まれて、例えば映像コンテンツを記録し、記録したコンテンツを再生するというその機器だけで閉塞する使われ方だけでなく、コンテンツが記録されたメディアを、他の記録再生機器へ装着して、機器間でデータのやり取りを行ういわゆるブリッジメディアとして使われることも多い。
【０００４】
半導体メモリのメディアでは、取り扱い易さを主眼において小さい外形寸法に規格化されており、記録容量もあまり多くはない。このようなメディアにおいては、記録が済んだら、例えばホームサーバなどの他の機器の記録媒体にコンテンツ（データ）を保存し、メディア自体はコンテンツを消去して新たなコンテンツの記録を行うような使い方が一般に行われる。
【０００５】
消去する場合、記録された各コンテンツ（プログラム）のファイル毎に処理をするかあるいはメディア全体のファイルをまとめて処理するかの方法があるが、各コンテンツ（プログラム）毎に処理する場合には、それぞれのコンテンツの内容を確認する作業が必要であり、手間が掛かる。全体を一括処理する場合には、同様に事前に内容を確認する必要があるが、簡単に処理することは難しく、重要なデータを誤って消去してしまうということにもなりかねない。
【０００６】
従来、メディアに記録したデータを管理するための提案が種々なされているが、それらは著作権あるいはセキュリティに関する課題を解決することを主題としているものがほとんどであり、記録されているコンテンツの消去あるいは編集を含むメディアの管理に言及したものはない。
【０００７】
例えば特許文献１には、情報記録装置を識別可能とする装置ＩＤまたはその情報記録装置が属するグループのＩＤと、記録媒体を識別可能とする媒体ＩＤを結合した結合ＩＤに対して電子署名を付加してコンテンツと共に記録媒体に記録するようにし、情報記録機器と記録媒体の相互認証によって、コンテンツの再生を許容するようにした装置が示されているが、コンテンツ（データ）の消去を管理するという点については示されていない。
【０００８】
【特許文献１】
特開２００２−１３２４５７号公報（第５，６，７頁、図３，４）
【０００９】
【発明が解決しようとする課題】
以上のように、従来、メディアに記録したコンテンツの再生ばかりでなく、消去あるいは編集を含めた細かな管理を簡単に行なうことのできる装置が提案されていなかった。
本発明は、以上の点に対処してなされたものであり、メディアにコンテンツと共に記録機器を特定する管理情報を記録し、他の機でそのメディアに記録されたコンテンツの再生を実行する際に、管理情報に基づいてコンテンツを管理できるようにしたコンテンツ記録装置、コンテンツ記録再生装置、コンテンツ記録再生システム及びコンテンツきろく再生方法を提供することを目的とする。
【００１０】
【課題を解決するための手段】
本発明のコンテンツ記録装置は、リムーバル型記録媒体に、コンテンツデータと、当該コンテンツデータを再生して記録することが可能な機器を特定するデータとを記録する記録手段を具備したことを特徴とする。
本発明によれば、記録媒体に記録されたコンテンツがどの記録機器で記録されたものであるか確認可能であるので、再生あるいはダビング処理を的確に実行することができるものである。
本発明のコンテンツ記録装置は、リムーバル型記録媒体に、コンテンツデータと、当該コンテンツデータを再生して記録することが可能な機器を特定するデータと、当該コンテンツデータの消去を含む改変を禁止する保護情報とを記録する記録手段を具備したことを特徴とする。
【００１１】
本発明によれば、コンテンツの消去、編集を禁止する保護情報をコンテンツと共に記録するようにしたので、コンテンツの保護を的確に行なうことができるものである。
本発明のコンテンツ記録再生装置は、リムーバル型の第１の記録媒体に、コンテンツデータと、当該コンテンツデータを再生して記録することが可能な機器を特定するデータとを記録する第１の記録手段と、前記リムーバル型記録媒体から前記コンテンツデータと前記機器を特定するデータを再生する再生手段と、前記再生された機器を特定するデータを認識する認証手段と、前記再生されたコンテンツデータを前記第１の記録媒体とは異なる第２の記録媒体に記録する第２の記録手段と、を具備したことを特徴とする。
【００１２】
本発明によれば、機器と記録媒体間で認証を行なうものであり、ダビング処理を実行するに相応しい機器でダビング処理を実行できるので確実な処理を行なうことができるものである。
本発明コンテンツ記録再生装置は、リムーバル型の第１の記録媒体に、コンテンツデータと、当該コンテンツデータを再生して記録することが可能な機器を特定するデータと、前記コンテンツデータの消去を含む改変を禁止する保護情報を記録する第１の記録手段と、前記リムーバル型記録媒体から前記コンテンツデータと前記機器を特定するデータを再生する再生手段と、前記第１の記録媒体から再生された機器を特定するデータを認識する認証手段と、前記第１の記録媒体から再生されたコンテンツデータを前記第１の記録媒体とは異なる第２の記録媒体に記録する第２の記録手段と、前記第２の記録手段によって前記第２の記録媒体に記録したコンテンツデータが記録された第１の記録媒体の前記保護情報を前記コンテンツデータの消去を含む改変を許容する状態に書き換える保護情報書き換え手段と、を具備したことを特徴とする。
【００１３】
本発明によれば、機器と記録媒体間で認証が確立され、さらにダビングが完了したコンテンツに対して、保護情報を消去、編集可能となるように変更するものであるため、重要なデータを消去してしまうというような事故を確実に防止することができるものである。
【００１４】
本発明のコンテンツ記録再生装置は、コンテンツデータと共に当該コンテンツデータを再生して記録することが可能な機器を特定するデータが記録されたリムーバル型記録媒体から、前記機器を特定するデータを読み取ってそれを認識する認証手段と、前記リムーバル型記録媒体から前記コンテンツデータを再生して当該記録媒体とは異なる第２の記録媒体に記録する記録手段と、を具備したことを特徴とする。
【００１５】
本発明によれば、機器と記録媒体間で認証を行なうものであり、ダビング処理を実行するに相応しい機器でダビング処理を実行できるので確実な処理を行なうことができるものである。
本発明のコンテンツ記録再生装置は、コンテンツデータと共に当該コンテンツデータを再生して記録することが可能な機器を特定するデータ及び当該コンテンツデータの消去を含む改変を禁止する保護情報が記録されたリムーバル型記録媒体から、前記機器を特定するデータを読み取ってそれを認識する認証手段と、前記リムーバル型記録媒体に記録されたコンテンツデータを当該記録媒体とは異なる第２の記録媒体にダビングするダビング手段と、前記認証手段による認証の結果と、前記ダビング手段によるダビング処理とに基づき、前記ダビング手段によって第２の記録媒体にダビングされたコンテンツの前記リムーバル型記録媒体に記録されている保護情報を前記コンテンツデータの消去を含む改変が可能なように書き換える保護情報書き換え手段と、を具備したことを特徴とする。
【００１６】
本発明によれば、機器と記録媒体間で認証が確立され、さらにダビングが完了したコンテンツに対して、保護情報を消去、編集可能となるように変更するものであるため、重要なデータを消去してしまうというような事故を確実に防止することができるものである。
【００１７】
本発明のコンテンツ記録再生システムは、リムーバル型記録媒体の装着手段を備え、コンテンツデータを前記リムーバル型記録媒体に記録する際に、当該記録媒体に記録されたコンテンツデータを記録することが可能な他の機器を特定するデータを前記コンテンツに付随するデータとして前記リムーバル型記録媒体に記録する記録手段を備えた第１の機器と、前記記録媒体が装着される装着手段と、前記機器を特定するデータに対応するデータが記憶された記憶手段と、前記装着手段に装着された記録媒体から前記機器を特定するデータを読み出して、前記記憶手段に記憶された機器特定データに対応するデータと比較を行なって、両データが一致することで前記記録媒体に対する認証を行なう手段とを備えた第２の機器と、を有することを特徴とする。
【００１８】
本発明によれば、機器と記録媒体間で認証を行なうものであり、ダビング処理を実行するに相応しい機器でダビング処理を実行できるので確実な処理を行なうことができるものである。
本発明のコンテンツ記録再生システムは、リムーバル型記録媒体の装着手段を備え、コンテンツデータを前記リムーバル型記録媒体に記録する際に、当該記録媒体に記録されたコンテンツデータを記録することが可能な他の機器を特定するデータと、当該コンテンツデータの消去を含む改変を禁止する保護情報とを前記コンテンツに付随するデータとして前記リムーバル型記録媒体に記録する記録手段を備えた第１の機器と、前記記録媒体が装着される装着手段と、前記機器を特定するデータに対応するデータが記憶された記憶手段と、前記装着手段に装着された記録媒体から前記機器を特定するデータを読み出して、前記記憶手段に記憶された機器特定データに対応するデータと比較を行なって、両データが一致することで前記記録媒体に対する認証を行なう認証手段と、前記装着手段に装着された記録媒体に記録された前記コンテンツデータを当該記録媒体とは異なる第２の記録媒体にダビングするダビング手段と、前記リムーバル型記録媒体に記録されたコンテンツデータを当該記録媒体とは異なる第２の記録媒体にダビングするダビング手段と、前記認証手段による認証の結果と、前記ダビング手段によるダビング処理とに基づき、前記ダビング手段によって第２の記録媒体にダビングされたコンテンツの前記リムーバル型記録媒体に記録されている保護情報を前記コンテンツデータの消去を含む改変が可能なように書き換える保護情報書き換え手段とを備えた第２の機器と、を有したことを特徴とする。
【００１９】
本発明によれば、機器と記録媒体間で認証が確立され、さらにダビングが完了したコンテンツに対して、保護情報を消去、編集可能となるように変更するものであるため、重要なデータを消去してしまうというような事故を確実に防止することができるものである。
【００２０】
本発明のコンテンツ記録再生方法は、コンテンツデータと共に当該コンテンツデータを再生して記録することが可能な機器を特定するデータが前記コンテンツに記録されたリムーバル型記録媒体から前記機器を特定するデータを読み出すステップと、前記読み出されたデータと予め機器本体に記憶された機器を特定するデータに対応するデータとを比較するステップと、両データが一致した際に前記記録媒体の前記機器本体に対する認証を行なうステップと、を備えたことを特徴とする。
【００２１】
本発明によれば、機器と記録媒体間で認証を行なうものであり、ダビング処理を実行するに相応しい機器でダビング処理を実行できるので確実な処理を行なうことができるものである。
本発明のコンテンツ記録再生方法は、コンテンツデータと共に当該コンテンツデータを再生して記録することが可能な機器を特定するデータ及びコンテンツデータの消去を含む改変を禁止する保護情報が記録されたリムーバル型記録媒体から前記機器を特定するデータを読み出すステップと、前記読み出されたデータと予め機器本体に記憶された機器を特定するデータに対応するデータとを比較するステップと、両データが一致した際に前記記録媒体の前記機器本体に対する認証を行なうステップと、前記記録媒体に記録されているコンテンツをダビングするステップと、前記認証が確立され、かつ前記ダビングが実行されたことにより、前記記録媒体に記録されている前記コンテンツの保護情報を消去を含む改変を許容する情報に書き換えるステップと、を備えたことを特徴とする。
【００２２】
本発明によれば、機器と記録媒体間で認証が確立され、さらにダビングが完了したコンテンツに対して、保護情報を消去、編集可能となるように変更するものであるため、重要なデータを消去してしまうというような事故を確実に防止することができるものである。
【００２３】
【発明の実施の形態】
以下、図面を参照して、この発明のコンテンツ記録再生装置を詳細に説明する。図１は、この発明を適用したコンテンツ記録再生装置１００の実施の一形態を示す回路ブロック図である。この実施の形態では、記録媒体としてＤＶＤ−ＲＡＭ（ＤＶＤ−Ｒａｎｄｏｍ  Ａｃｃｅｓｓ  Ｍｅｍｏｒｙ）１０１とＨＤＤ（Ｈａｒｄ  Ｄｉｓｋ  Ｄｒｉｖｅ）１０２の双方を取り扱うことができる装置として示しているが、ＨＤＤあるいはＤＶＤ−ＲＡＭのいずれか一方または両方を半導体メモリによる記録媒体などに置き換えてもよい。
【００２４】
図１の各ブロックを大きく分けると、図面左側には記録部の主なブロックが示され、右側には再生部の主なブロックが示されている。
記録部としては、まず、ビデオファイルを構築できる情報記録媒体である第１のメディアとしての光ディスク１０１を回転駆動し情報の読み書きを実行するディスクドライブ部１０３を有する。また、第２のメディアとしてのＨＤＤを駆動するＨＤＤドライブ部１０４を有する。ディスクドライブ部１０３は、光ディスク１０１に対する回転制御系、レーザ駆動系、光学系などを有する。
【００２５】
ディスクドライブ部１０３とＨＤＤドライブ部１０４は、データプロセッサ部１０５に接続されている。データプロセッサ部１０５は、ディスクドライブ部１０３及びＨＤＤドライブ部１０４に記録データを供給することができ、また、再生されたデータを受け取ることができる。
【００２６】
データプロセッサ部１０５は、記録または再生単位のデータを取り扱うもので、バッファ回路、変調・復調回路、エラー訂正回路などを含む。
さらに装置１００は、その記録部側に設けられたエンコーダ部１０６と、再生部側に設けられたデコーダ部１０８と、装置本体の動作を制御するマイクロコンピュータブロック（ＭＰＵ）１０８とを有し、それらを主たる構成要素としている。
エンコーダ部１０６は、入力されたアナログビデオ信号やアナログオーディオ信号をデジタル化するビデオ用及びオーディオ用のアナログデジタルコンバータと、デジタル化されたビデオ信号を圧縮するビデオエンコーダと、デジタル化されたオーディオ信号を圧縮するオーディオエンコーダとを有する。さらに、副映像のデータを圧縮するエンコーダも含む。
【００２７】
エンコーダ部１０６の出力は、バッファメモリ１０９を含むフォーマッタ１１０にて所定のＤＶＤ−ＲＡＭのフォーマットに変換され、データプロセッサ部１０５に供給される。
エンコーダ部１０６には、ＡＶ（Ａｕｄｉｏ  Ｖｉｓｕａｌ）入力部１１１からの外部アナログビデオ信号と外部アナログオーディオ信号、あるいはＴＶ（Ｔｅｌｅｖｉｓｉｏｎ）チューナ１１２からのアナログビデオ信号とアナログオーディオ信号が入力される。
【００２８】
なお、エンコーダ部１０６は、圧縮されたデジタルビデオ信号やデジタルオーディオ信号が直接入力されるときは、圧縮デジタルビデオ信号やデジタルオーディオ信号を直接フォーマッタ１１０に供給することもできる。さらに、エンコーダ部１０６は、アナログデジタル変換されたデジタルビデオ信号やオーディオ信号を、後述するビデオミキシング部やオーディオセレクタに直接供給することもできる。
【００２９】
エンコーダ部１０６に含まれるビデオエンコーダでは、デジタルビデオ信号をＭＰＥＧ（Ｍｏｖｉｎｇ  Ｐｉｃｔｕｒｅ  Ｅｘｐｅｒｔｓ  Ｇｒｏｕｐ）２またはＭＰＥＧ１規格に基づく可変ビットレートで圧縮されたデジタルビデオ信号に変換する。同様に、デジタルオーディオ信号をＭＰＥＧまたはＡＣ（Ａｕｄｉｏ  Ｃｏｍｐｒｅｓｓｉｏｎ）−３規格に基づく固定ビットレートで圧縮されたデジタルオーディオ信号に変換するか、あるいはリニアＰＣＭ（Ｐｕｌｓｅ  Ｃｏｄｅ  Ｍｏｄｕｌａｔｉｏｎ）のデジタルオーディオ信号に変換する。
【００３０】
副映像信号がＡＶ入力部１１１から入力された場合（例えば副映像信号の独立出力端子付ＤＶＤビデオプレーヤからの信号など）、あるいはこのようなデータ構成のＤＶＤビデオ信号が放送されてそれがＴＶチューナ１１２で受信された場合は、ＤＶＤビデオ信号中の副映像信号が副映像エンコーダでエンコード（ランレングス符号化）されて副映像のビットマップとなる。
【００３１】
エンコードされたデジタルビデオ信号、デジタルオーディオ信号、副映像データは、フォーマッタ１１０にてパック化され、ビデオパック、オーディオパック、副映像パックとなり、さらにこれらが集合されてＤＶＤレコーディング規格（例えばＤＶＤ−ＲＡＭ、ＤＶＤ−Ｒ：ＤＶＤ−Ｒｅｃｏｒｄａｂｌｅ、ＤＶＤ−ＲＷ：ＤＶＤ−ＲｅＷｒｉｔａｂｌｅなどに記録するために制定された規格）で規定されたフォーマットに変換される。
【００３２】
ここで図１の装置は、フォーマッタ１１０でフォーマット化された情報（ビデオ、オーディオ、副映像データなどのパック）及びそれらの内容を特定して、再生するときの指標としての機能を有する情報を含むように生成された管理情報を、データプロセッサ部１０５を介してＨＤＤドライブ部１０２あるいはディスクドライブ部１０３に供給し、ＨＤＤ１０２あるいは光ディスク１０１に記録することができる。またＨＤＤ１０２あるいは光ディスク１０１に記録された情報を再生して、データプロセッサ部１０５、ディスクドライブ部１０３を介して光ディスク１０１あるいはＨＤＤ１０２に記録することもできる。すなわち、光ディスク１０１とＨＤＤ１０２間で相互にダビングすることができる。
【００３３】
またＨＤＤ１０２あるいは光ディスク１０１に記録されている複数番組のビデオオブジェクトを、一部削除したり、異なる番組のオブジェクトを繋げたり、といった編集処理を行うこともできる。これは、本発明に係るフォーマットが取り扱うデータ単位を定義し、編集を容易にしているからである。
【００３４】
マイクロコンピュータブロック１０８は、ＭＰＵ（Ｍｉｃｒｏ  Ｐｒｏｃｅｓｓｉｎｇ  Ｕｎｉｔ）（またはＣＰＵ（Ｃｅｎｔｒａｌ  Ｐｒｏｃｅｓｓｉｎｇ  Ｕｎｉｔ））１０８ａと、制御プログラムなどが書き込まれたＲＯＭ１０８ｂと、プログラム実行に必要なワークエリアを提供するためのワークＲＡＭ１０８ｃとを含んでいる。
【００３５】
マイクロコンピュータブロック１０８のＭＰＵ１０８ａは、ＲＯＭ１０８ｂに格納された制御プログラムに従い、ワークＲＡＭ１０８ｃをワークエリアとして用いて、ＤＶＤの記録領域の欠陥場所検出、未記録領域検出、録画情報記録位置設定、ＵＤＦ（Ｕｎｉｖｅｒｓａｌ  Ｄｉｓｋ  Ｆｏｒｍａｔ）記録、ＡＶアドレス設定などを実行する。
【００３６】
またマイクロコンピュータブロック１０８は、システム全体を制御するために必要な情報処理部を有するもので、さらに機能としてのディレクトリ検出部１０８ｄと、ＶＭＧ（Ｖｉｄｅｏ  Ｍａｎａｇｅｒ）（全体のビデオ管理情報）情報作成部、コピー関連情報検知部、コピー及びスクランブリング情報処理部（ＲＤＩ：Ｒｅａｌ  ｔｉｍｅ  Ｄａｔａ  Ｉｎｆｏｒｍａｔｉｏｎ）、パケットヘッダ処理部、シーケンスヘッダ処理部、アスペクト比情報処理部などを含む編集時の管理情報制御部１０８ｄと録画時の管理情報制御部１０８ｅを備える。
【００３７】
マイクロコンピュータブロック１０８には、表示部１１３が接続されており、ＭＰＵ１０８ａの実行結果のうち、ユーザに通知すべき内容は、表示部１１３に表示されるか、または後述するモニタのディスプレイにＯＳＤ（Ｏｎ  Ｓｃｒｅｅｎ  Ｄｉｓｐｌａｙ）表示される。またマイクロコンピュータブロック１０８は、ユーザが装置の機能、動作を設定し、あるいは調整するための操作信号を与えるキー入力部１１４を有する。
【００３８】
マイクロコンピュータブロック１０８には、ＳＴＣ（Ｓｙｓｔｅｍ  Ｔｉｍｅ  Ｃｌｏｃｋ）１１５が接続されており、ディスクドライブ部１０３、ＨＤＤドライブ部１０４、データプロセッサ部１０５、エンコーダ部１０６及び／またはデコーダ部１０７などを制御するタイミングを、このＳＴＣ１１５からの時間データに基づいて設定し、処理することができる。録画や再生の動作は、通常はＳＴＣ１１５からのタイムクロックに同期して実行されるが、それ以外の処理はＳＴＣ１１５とは独立したタイミングで実行されてもよい。
【００３９】
デコーダ部１０７は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をＭＰＥＧデコードして非圧縮のデジタルビデオ信号に変換するビデオデコーダと、セパレータで分離された副映像データ（副映像パックの内容）をデコードするＳＰ（Ｓｕｂ  Ｐｉｃｔｕｒｅ）デコーダと、セパレータで分離されたオーディオデータ（オーディオパックの内容）をデコードして非圧縮のデジタルオーディオ信号に変換するデコーダとを有するが、図１では省略されている。
【００４０】
またデコードされた主映像にデコードされた副映像を適宜合成し、主映像にメニュー、ハイライトボタン、字幕やその他の副映像を重ねて出力するビデオプロセッサを備えている。
デコーダ部１０７から出力されるビデオ信号は、ビデオミキシング部１１６に入力される。ビデオミキシング部１１６では、テキストデータの合成が行われる。またビデオミキシング部１１６には、ＴＶチューナ１１２やＡ／Ｖ入力部１１１からの信号がエンコーダ部１０６を介して出力されるのを直接取り込むラインも接続されている。
【００４１】
ビデオミキシング部１１６には、バッファとして用いるフレームメモリ１１７が接続されている。ビデオミキシング部１１６の出力がアナログ出力の場合はＩ／Ｆ（Ｉｎｔｅｒｆａｃｅ）１１８を介して外部導出端子から外部へ出力され、デジタル出力の場合はデジタルアナログ変換器（Ｄ／Ａ）１１９を介して外部導出端子から外部へ出力されて、モニタ１２０などで表示される。
【００４２】
デコーダ部１０７の出力オーディオ信号は、セレクタ１２１を介してデジタルアナログ変換器（Ｄ／Ａ）１２２でアナログ変換され外部導出端子から外部に出力され、スピーカ１２３などで音声として出力される。
セレクタ１２１は、マイクロコンピュータブロック１０８からのセレクト信号により制御される。これによりセレクタ１２１は、ＴＶチューナ１１２やＡ／Ｖ入力部１１１からのデジタル信号を直接モニタするとき、エンコーダ部１０６をスルーした信号を直接選択することが可能である。
【００４３】
エンコーダ部１０７のフォーマッタ１１０では、録画中、各切り分け情報を作成し、定期的にマイクロコンピュータブロック１０８のＭＰＵ１０８ａへ送る処理を行なう。切り分け情報としては例えば、ＭＰＥＧのＧＯＰ（Ｇｒｏｕｐ  Ｏｆ  Ｐｉｃｔｕｒｅ）の先頭割り込み時などの情報の他、ＶＯＢＵ（Ｖｉｄｅｏ  Ｏｂｊｅｃｔ  Ｕｎｉｔ）のパック数、ＶＯＢＵ先頭からのＩ（Ｉｎｔｒａ）ピクチャのエンドアドレス、ＶＯＢＵの再生時間などの情報が含まれる。
【００４４】
同時に、マイクロコンピュータブロック１０８の録画時の管理情報制御部１０８ｅに含まれるアスペクト情報処理部からの情報を録画開始時にＭＰＵ１０８ａへ送り、ＭＰＵ１０８ａはＶＯＢ（Ｖｉｄｅｏ  Ｏｂｊｅｃｔ）ストリーム情報（ＳＴＩ：Ｓｔｒｅａｍ  Ｉｎｆｏｒｍａｔｉｏｎ）を作成する。ここでＳＴＩは、解像度データ、アスペクトデータなどを含み、再生時、各デコーダ部ではこの情報を元に初期設定が行われる。
【００４５】
また図１に示す装置１００においては、ビデオファイルは１ディスクに１ファイルとしている。またデータをアクセス（シーク）している間に、途切れないで再生を続けるために、最低限連続する情報単位（サイズ）を決めており、この単位をＣＤＡ（Ｃｏｎｔｉｇｕｏｕｓ  Ｄａｔａ  Ａｒｅａ）という。ＣＤＡサイズは、ＥＣＣ（Ｅｒｒｏｒ  Ｃｏｒｒｅｃｔｉｎｇ  Ｃｏｄｅ）ブロック（１６セクタ）の倍数であり、ファイルシステムではこのＣＤＡ単位で記録を行っている。
【００４６】
データプロセッサ部１０５は、エンコーダ部１０６のフォーマッタ１１０からＶＯＢＵ単位のデータを受け取り、ＣＤＡ単位のデータをディスクドライブ部１０３あるいはＨＤＤドライブ部１０２に供給している。またマイクロコンピュータブロック１０８のＭＰＵ１０８ａは、録画時の管理情報制御部１０８ｅにより、記録したデータを再生するのに必要な管理情報を作成し、データ記録終了のコマンドを認識すると、作成した管理情報をデータプロセッサ部１０５に送る。これにより、管理情報が光ディスク１０１に記録される。
【００４７】
従って、エンコードが行われているとき、マイクロコンピュータブロック１０８のＭＰＵ１０８ａは、エンコーダ部１０６からデータ単位の情報（切り分け情報など）を受け取る。また、マイクロコンピュータブロック１０８のＭＰＵ１０８ａは、記録開始時には光ディスク１０１及びＨＤＤ１０２から読み取った管理情報（ファイルシステム）を認識し、各ディスクの未記録エリアを認識し、データ上の記録エリアをデータプロセッサ部１０５を介して各ディスクに設定している。
【００４８】
ここで、図２を使用して、リアルタイムＤＶＤの管理情報と、コンテンツであるビデオオブジェクトとの関係を簡単に説明する。
図２において、まず、一点鎖線より下の部分に示されているビデオオブジェクト（ＶＯＢ）について説明する。ＶＯＢはディレクトリではＶＲ＿ＭＯＶＩＥ．ＶＲＯファイルと称される。ビデオファイルは階層構造であり、１つのファイルは１つまたは複数のＶＯＢで構成され、１つのＶＯＢは１つまたは複数のＶＯＢＵで構成されている。さらに１つのＶＯＢＵは複数パックから構成され、パックとしては、ＲＤＩ（Ｒｅａｌ  Ｔｉｍｅ  Ｄａｔａ  Ｉｎｆｏｒｍａｔｉｏｎ）パック、Ｖ（ビデオ）パック、Ａ（オーディオ）パックなどが存在する。ＳＰ（副映像）パックが存在する場合もある。
【００４９】
ＲＤＩパックは、ユニット制御情報パック、あるいはナビゲーション情報パック、あるいはリアルタイムデータ情報パック（ＲＤＩ＿ＰＣＫ）と称される。このパックには、これが属するＶＯＢＵの最初のフィールドが再生される開始時間を示す情報、当該ＶＯＢＵの記録時を示す情報、製造者情報（ＭＮＦＩ：Ｍａｎｕｆａｃｔｕｒｅｒ  Ｉｎｆｏｒｍａｔｉｏｎ）などの情報が含まれる。
【００５０】
さらにＲＤＩパックは、ディスプレイ制御情報（ＤＣＩ：Ｄｉｓｐｌａｙ  Ｃｏｎｔｒｏｌ  Ｉｎｆｏｒｍａｔｉｏｎ）及びコピーコントロール情報（ＣＣＩ：Ｃｏｐｙ  Ｃｏｎｔｒｏｌ  Ｉｎｆｏｒｍａｔｉｏｎ）を含む。ディスプレイ制御情報は、アスペクト比情報、サブタイトルモード情報、フィルムカメラモード情報を含み、コピーコントロール情報は、コピー許可情報、またはコピー禁止（非許可）情報を含む。
【００５１】
ＶパックはビデオデータがＭＰＥＧ２の方式で圧縮されたもので、パックヘッダ、パケットヘッダ、ビデオデータ部で構成される。Ａパックはオーディオデータが、例えばリニアＰＣＭあるいはＭＰＥＧ、あるいはＡＣ−３などの方式で処理されたものであり、パックヘッダ、パケットヘッダ、オーディオデータ部で構成される。
【００５２】
図２において、一点差線の上側に示される管理情報は、ビデオマネジャー（ＶＭＧ：Ｖｉｄｅｏ  Ｍａｎａｇｅｒ）と称され、その中にデータ再生順序を管理するプログラムチェーン（ＰＧＣ：Ｐｒｏｇｒａｍ  Ｃｈａｉｎ）が定義されている。このプログラムチェーンには、セル（Ｃｅｌｌ）が定義され、セルは、再生すべき対象となるビデオオブジェクト（ＶＯＢ）に関する情報であるビデオオブジェクト情報（ＶＯＢＩ）とリンクしている。
【００５３】
ＰＧＣの具体的情報はプログラムチェーン情報（ＰＧＣＩ：Ｐｒｏｇｒａｍ  Ｃｈａｉｎ  Ｉｎｆｏｒｍａｔｉｏｎ）として記録される。ＰＧＣＩには２種類が存在し、１つはオリジナルＰＧＣＩ（ＯＲＧ＿ＰＧＣＩ）、もう１つはユーザデファインドプログラムチェーン情報テーブル（ＵＤ＿ＰＧＣＩＴ）である。
【００５４】
通常、記録時にはオリジナルＰＧＣが作成される。ユーザデファインドＰＧＣＩは、それ自身のビデオオブジェクトを持たず、図２に示すように、オリジナルＰＧＣのビデオオブジェクト情報（ＶＯＢＩ）に対してリンクしているユーザデファインドセル（ＵＤ＿Ｃｅｌｌ）を編集（削除、追加）することでプレイリストとして作成される。
【００５５】
ＶＯＢＩ内にはタイムマップ（ＴＭＡＰ：Ｔｉｍｅ  ＭＡＰ）が記述されており、このＴＭＡＰはＶＯＢＩに対応するＶＯＢを構成しているＶＯＢＵを指定する。セルからＶＯＢＩへのリンクは、論理アドレスで特定されている。また、ＴＭＡＰ情報からＶＯＢ及びＶＯＢＵへのリンクは、ＶＯＢのストリーム番号、このＶＯＢ内のＶＯＢＵの数、各ＶＯＢＵに対するエントリー番号、各ターゲットＶＯＢＵへの論理アドレスに基づいて行われている。
【００５６】
次に、管理情報の中のプログラムチェーン情報（ＰＧＣＩ）の階層を説明する。先に述べたように、プログラムチェーン情報には、オリジナルプログラムチェーン情報（ＯＲＧ＿ＰＧＣＩ）とユーザデファインドプログラムチェーン情報（ＵＤ＿ＰＧＣＩ）の２つのタイプがある。
【００５７】
ＯＲＧ＿ＰＧＣＩは、記録再生装置により、オリジナルプログラムが記録されるときに自動的に作成される管理情報であり、１ディスクに１種類である。これに対してＵＤ＿ＰＧＣＩは、記録された複数のオリジナルプログラムの中の一部の部分をユーザが任意に指定し、その再生順序を設定することにより作成されるプレイリストとしての管理情報である。そのためＵＤ＿ＰＧＣＩは、複数設定することができる。
【００５８】
図３はオリジナルプログラムチェーン情報の階層構造を示している。オリジナルプログラムチェーン情報（ＯＲＧ＿ＰＧＣＩ）は、プログラムチェーン一般情報（ＰＧＣ＿ＧＩ）と、プログラム情報（ＰＧＩ）と、セル情報サーチポインタ（ＣＩ＿ＳＲＰ）と、セル情報（ＣＩ）とを含む。
【００５９】
ＰＧＣ＿ＧＩには、プログラムチェーンにより再生されるプログラムがいくつ存在するかを示すプログラム数（ＰＧ＿Ｎｓ）、セルサーチポインタが幾つ存在するかを示すセルサーチポインタ数（ＣＩ＿ＳＲＰ＿Ｎｓ）が記述される。図３の例では、プログラム情報としてＰＧＩ＃１からＰＧＩ＃ｍまでが存在し、この１つ１つのＰＧＩがオリジナルタイトルであるプログラムに相当する。またセルサーチポインタＣＩ＿ＳＲＰ＃１からＣＩ＿ＳＲＰ＃ｎが存在する。
【００６０】
プログラム情報ＰＧＩには、プログラムタイプ（ＰＧ＿ＴＹ）と、このプログラムのセル数（Ｃ＿Ｎｓ）と、このプログラムの代表画像情報（ＲＥＰ＿ＰＩＣＴＩ）とが含まれる。代表画像情報ＲＥＰ＿ＰＩＣＴＩは、代表画像のセル番号、及びこのセルの中のピクチャーポイントを記述している。
【００６１】
さて、メディアに記録されたコンテンツ（プログラム）の消去を含む編集（改変）を考慮した場合、通常状態ではそのコンテンツの編集を禁止（保護）しておき、そのコンテンツを他のメディア（記録媒体）へコピー（ダビング）したことを条件としてその保護を解除して、そのコンテンツの編集、消去を行なえるように構成すれば、重要なデータまで誤って消去してしまうというような事態を避けることができる。また、記録再生機器によって、扱う記録媒体の種類、記録容量が異なるため、コンテンツのダビングをより確実に実行させるためには、機器を予め特定しておき、その特定した機器でダビングすることで初めて保護を解除して、編集、消去を可能にするようにしてもよい。
【００６２】
図３で説明したプログラム情報ＰＧＩの中にプログラム保護情報と、記録機器別データを定義して含ませることは可能であり、具体的には、ＰＧＩに付随する情報であるプライマリテキスト（ＰＲＭ＿ＴＸＴ）またはプログラムタイプ（ＰＧ＿ＴＹ）にプログラム保護情報と記録機器識別データを記録する領域を定義し、映像音声データを記録する際にはプログラム保護情報には「保護」と設定する。このように設定することでユーザに対してそのプログラムの編集・削除処理の実行を容易に禁止することができる。
【００６３】
図４にその概念図を示す。すなわち、図４において、ＰＧＩ４０１の下層にプログラム保護情報４０２と記録機器識別データを定義して、コンテンツと共に、記録媒体に記録することで、コンテンツの保護を適切に実行できるようになるものである。
【００６４】
図５は、実際の記録機器を例をとって本発明を説明するための構成図である。図５において、機器Ａ５０１はプログラムを作成する機器であり、例えばカメラと一体となっているビデオレコーダで、ＤＶＤ−ＲＡＭディスク５０１ａを記録媒体としている。機器Ｂ５０２及び機器Ｃ５０３はユーザがプログラムを作成（再生）する他、プログラムを蓄積（記録）する機能も有する記録再生機器で、それぞれ例えばＨＤＤが設けられたＤＶＤ−ＲＡＭレコーダとすることができる。
【００６５】
機器Ａ５０１ではディスク５０１ａへの記録時に、プログラム情報に付随する機器識別データとして「データＡ」を記録し、さらに機器として記録するプログラムを保護するプログラム保護状態に設定する。機器Ｂ５０２は記録機器識別データを認証する為のデータとして「データＡ」「データＢ」を予め内部の記憶媒体に記憶して持っているが、機器Ｃ５０３は記録機器識別データを認証する為のデータは持っていない。
【００６６】
ここで、機器Ａ５０１でディスク５０１ａに記録したプログラムを機器Ｂ５０２へダビングすることを想定する。ディスク５０１ａを機器Ｂ５０２に装着して、機器Ｂ５０２内の記録媒体へのダビングを実行しようとすると、機器Ｂ５０２は機器Ａ５０１で記録したプログラム情報に付随する情報を参照し「データＡ」として記録された機器識別データを読み取って機器Ｂ５０２内で保持する認証データと比較する。機器Ｂ５０２は「データＡ」という情報を保持しているので認証は成功し、それによって機器Ａ５０１で記録されたデータが機器Ｂ５０２に蓄積されると共にディスク５０１ａのプログラム保護設定が解除される。
【００６７】
一方、機器Ａ５０１で記録したプログラムを機器Ｃ５０３へダビングしようとする場合、機器Ｃ５０３は記録機器識別データを認証するためのデータを持っていないため認証には失敗する。そのため、たとえ機器Ａ５０１で記録したプログラムを機器Ｃ５０３へダビングしてもディスク５０１ａに記録されたプログラムの保護設定は変更されない。
【００６８】
しかしながら、図６に示すように一旦、機器Ｂ５０２でダビングすることでプログラム保護設定が解除されているディスク５０１ａについては、機器識別データを持たない機器Ｃ５０３であっても、プログラムの編集・削除ができるようになる。
以上説明したように、ディスク５０１ａについて、機器識別データを認証するデータを備えた機器でダビングを実行することで、初めてプログラムの保護が解除されるため、ディスク５０１ａに記録されたプログラムが適切に処理されるようになるものである。
【００６９】
なお、ダビングの実行は、ユーザが機器を制御して実行させることも可能であるが、ディスク（メディア）を機器に装着することで、その機器が機器識別データを認証するデータを備えているか否かの判定を行なって、認証するデータを備えている場合に、自動的にダビングを実行するように構成してもよい。それによって操作性が向上する。
【００７０】
さらに、ディスク（メディア）は機器Ａ５０１、機器Ｂ５０２、機器Ｃ５０３に共通に適用され、それぞれの機器でプログラムを記録することが可能であるため、例えば同じディスクに、異なる機器でプログラムを記録する場合も考えられる。
図７は、ディスク７０１に機器Ａ５０１と機器Ｃ５０３で記録したプログラムが混在している場合の処理状況を説明する構成図である。図７において、ディスク７０１を機器Ｂ５０２に装着したタイミングで機器Ｂ５０２はディスク７０１に記録されている全プログラムに付随する情報を参照し、機器Ａ５０１で記録されたプログラム、すなわち記録機器識別データに「データＡ」と設定されているプログラムを選び、自動的に自分の記録媒体の蓄積領域にダビングを行う。
【００７１】
それによって、ディスク７０１の機器Ａ５０１で記録されたプログラムの保護が解除されて編集、消去が可能となるものである。
図８、図９、図１０は本発明の動作を説明するためのフローチャートである。図８は、メディアへのコンテンツ（プログラム）の記録処理を説明するもので、ステップＳ８０１で開始され、ステップＳ８０２でプログラムをメディアへ記録する。次にステップＳ８０３でプログラムの全てのデータの記録が完了したか否かの判定がなされ、完了していない場合はステップＳ８０２に戻って記録を継続する。
【００７２】
プログラムの全てのデータの記録が完了したら、ステップＳ８０４でプログラム保護情報と、機器識別データをそのプログラムのＰＧＩに付随する情報としてメディアに記録してステップＳ８０５で処理を終了する。
図９は、図８に示す手順でプログラムが記録されたメディアからその記録プログラムをダビングする際の処理を説明するフローチャートである。
図９において、ステップＳ９０１で開始され、ステップＳ９０２でメディアから機器識別データを読み出す。次いでステップＳ９０３で、メディアが装着された機器（自機）に予め記憶されている機器識別データとメディアから読み出した機器識別データを比較する。
【００７３】
次にステップＳ９０４での比較の結果、同じ識別データがメディアに記録されているか否かの判定を行ない同じ識別データが記録されている判定されたら、ステップＳ９０５でメディアに記録されたプログラムを機器の記録媒体にダビングする。次いで、ステップＳ９０６でメディアの保護情報を解除してステップＳ９０７で処理を終了する。
【００７４】
ステップＳ９０４で、メディアに機器に登録された機器識別データと同じデータが存在しないと判定された場合、ステップＳ９０８でメディアが装着された機器の記録媒体にメディアに記録されたプログラムをダビングする。次いで、ステップＳ９０９でメディアに記録されたプログラム保護情報をそのまま保持させて処理を終了する。
【００７５】
図１０は、図７に示す状態の処理を説明するフローチャートであり、機器識別データを比較して同じ識別データが認識されたら、その同じ識別データが付されたプログラムを自動的にダビングを行い同じ識別データが付されたプログラムが存在しない場合には、ダビングを拒否してプログラム保護情報を保持するように構成したものである。
【００７６】
図１０において、ステップＳ１００１で開始され、ステップＳ１００２でメディアを機器に装着し、ステップＳ１００３で装着されたメディアから、機器識別データを読出し、ステップＳ１００４で機器に予め登録されている識別データとメディアから読み出された識別データを比較する。
【００７７】
比較の結果、ステップＳ１００５で同じ識別データが付されたプログラムが存在すると判定されたら、ステップＳ１００６で、メディアの同じ識別データが付されたプログラムを機器の記録媒体へダビングする。
次いで、ステップＳ１００７で、ダビングしたプログラムの保護情報を解除し、ステップＳ１００８で保護情報が解除されたプログラムの削除、編集を実行してステップＳ１００９で処理を終了する。
ステップＳ１００５の判定の結果、同じ識別データのプログラムが存在しないと判定された場合には、ステップＳ１０１０で、メディアのプログラムを機器の記録媒体へダビングするのを禁止し、ステップＳ１０１１でメディアの保護情報をそのまま保持し、ステップＳ１０１２でメディアのプログラムの削除、編集を禁止するものである。
【００７８】
以上のように、本発明によれば、メディアにコンテンツ（プログラム）を記録する際に、そのプログラムの保護情報と、ダビング機器を特定するための機器識別データをそのプログラムに対応付けて記録しておき、そのメディアに記録されたプログラムを、記録再生機器の記録媒体にダビングする際、その機器に予め登録された機器識別データとメディアの識別データを比較して、相互認証を行い、認証が成立したら、ダビングを実行すると共に、メディアのプログラム保護情報を解除して、そのプログラムの削除、編集を可能とするように構成したので、ダビングが確実に実行されていないと、削除、編集ができないようにプロテクトが掛かっているため、誤って重要なデータを削除してしまうというような事故を確実に防止できるようになるものである。
【００７９】
【発明の効果】
以上のように、本発明のコンテンツ記録装置、コンテンツ記録再生装置、コンテンツ記録再生システム及びコンテンツ記録再生方法によれば、メディアにコンテンツを記録する際に、そのプログラムを保護する保護情報をプログラムに付随させて記録し、そのプログラムをダビングすることでそのプログラムの保護を解除して、削除、編集を可能とするようにしたので、ダビングが実行されていないと、削除、編集の実行が不可能となるため、コンテンツを誤って削除してしまうような事故を防止することができるものである。
【図面の簡単な説明】
【図１】本発明に係る記録されたコンテンツ記録再生装置の一実施の形態を示す回路構成図。
【図２】図１に示す装置の動作を説明するための構成図。
【図３】図１に示す装置の動作を説明するための構成図。
【図４】図１に示す装置の動作を説明するための構成図。
【図５】本発明のコンテンツ記録再生装置の管理装置の動作を説明するための構成図。
【図６】本発明のコンテンツ記録再生装置の動作を説明するための構成図。
【図７】本発明のコンテンツの記録再生装置の動作を説明するための構成図。
【図８】本発明のコンテンツ記録装置の動作を説明するためのフローチャート。
【図９】本発明のコンテンツ記録再生装置の動作を説明するためのフローチャート。
【図１０】本発明のコンテンツ記録再生装置の動作を説明するためのフローチャート。
【符号の説明】
１００…コンテンツ記録再生機器
１０１…光ディスク
１０２…ＨＤＤ
１０３…ディスクドライブ部
１０４…ＨＤＤドライブ部
１０５…データプロセッサ部
１０６…エンコーダ部
１０７…デコーダ部
１０８…マイクロコンピュータブロック
１０９…バッファメモリ
１１０…フォーマッタ
１１１…Ａ／Ｖ入力部
１１２…ＴＶチューナ部
１１３…表示部
１１４…キー入力部
１１５…ＳＴＣ（システム・タイム・クロック）
１１６…Ｖ（ビデオ）ミキシング
１１７フレームメモリ
１１８…１／Ｆ（インター・フェース）
１１９…Ｄ／Ａ
１２０…モニタ
１２１…セレクタ
１２２…Ｄ／Ａ
１２３…スピーカ
【図１】
2005018910.tif 000003
【図２】
2005018910.tif 000004
【図３】
2005018910.tif 000005
【図４】
2005018910.tif 000006
【図５】
2005018910.tif 000007
【図６】
2005018910.tif 000008
【図７】
2005018910.tif 000009
【図８】
2005018910.tif 000010
【図９】
2005018910.tif 000011
【図１０】
2005018910.tif 000012